(57)【要約】【課題】利用者が特定の場所へ移動したことを契機にして、上記利用者自身が思い出したい情報および第３者が上記利用者に伝えたい情報を送信可能な情報提供方法、情報提供システム、及び当該情報提供システムに適用可能な移動端末を提供する。【解決手段】移動端末１００などからメッセージサーバ５００に対して位置情報を含むリマインド条件及び送信情報を登録しておく、メッセージサーバ５００は、移動端末１００が登録した場所に到達すると、到達したことを喚起することとは別に私的な送信情報を、当該移動端末１００に送信する。【選択図】　　　　図１
2004015300.tif 000002
【特許請求の範囲】
【請求項１】
個々の移動端末若しくはグループ化された一群の移動端末を単位として、特定位置を含むリマインド条件及び当該リマインド条件に対応付けされた送信情報を予め登録しておき、対応する移動端末が当該特定位置に到達したことを検出すると、上記特定位置に対応付けされた送信情報を、上記移動端末若しくはグループ化された一群の移動端末に送信することを特徴とする情報提供方法。
【請求項２】
上記送信情報の一部は、移動端末に組み込まれているアプリケーションの起動情報、及び特定のアプリケーション自体の少なくとも一方であることを特徴とする請求項１に記載した情報提供方法。
【請求項３】
上記送信情報の少なくとも一部は、当該送信情報が送信される移動端末若しくはグループ化された一群の移動端末とは別の端末から登録された情報であることを特徴とする請求項１又は請求項２に記載した情報提供方法。
【請求項４】
上記登録されているリマインド条件若しくは送信情報に対する参照があったことを検出すると、その旨を当該送信情報が送信される移動端末に送信することを特徴とする請求項１〜請求項３のいずれかに記載した情報提供方法。
【請求項５】
上記リマインド条件として、送信情報を送信可能な有効期間を含むことを特徴とする請求項１〜請求項４のいずれかに記載した情報提供方法。
【請求項６】
各移動端末若しくはグループ化された一群の移動端末に対応付けられた、特定位置を含むリマインド条件及び当該リマインド条件に対応付けされた送信情報を取得して登録する登録手段と、上記リマインド条件に対応する移動端末が上記特定位置に到達したか否かを判定する送信判定手段と、対応する移動端末が上記特定位置に到達したと判定すると上記リマインド条件に対応付けされた送信情報を対応する移動端末に送信する情報送信手段とを備えることを特徴とする情報提供システム。
【請求項７】
上記送信判定手段は、移動端末の位置情報を取得して蓄積する位置情報管理手段を備え、当該位置情報管理手段に蓄積されている位置情報と上記リマインド条件とを定期的に照合することで、対応する移動端末が上記特定位置に到達したか否かを判定することを特徴とする請求項６に記載した情報提供システム。
【請求項８】
上記送信判定手段は、移動端末の位置情報を取得して蓄積する位置情報管理手段を備え、蓄積情報に基づき移動端末の位置情報が更新されたと判定した場合に、移動端末の位置情報と上記リマインド条件とを照合することで、対応する移動端末が上記特定位置に到達したか否かを判定することを特徴とする請求項６に記載した情報提供システム。
【請求項９】
上記リマインド条件の一部として送信情報の有効期間を有し、上記送信判定手段は、現在の時間が有効期間内で無ければ特定位置に到達してないと判定することを特徴とする請求項６〜請求項８のいずれかに記載した情報提供システム。
【請求項１０】
リマインド条件に有効期間を有する場合に、当該有効期間を経過したと判定すると、当該有効期間を経過したリマインド条件及び送信情報を、消去、若しくは送信の対象外とすると共に、上記消去若しくは対象外とした旨の情報を、送信情報を送信すべき移動端末、及び上記リマインド条件及び送信情報を登録した端末の少なくとも一方に送信する有効期間管理手段を備えることを特徴とする請求項９に記載した情報提供システム。
【請求項１１】
上記登録手段は、取得した情報に基づき、当該リマインド条件及び送信情報の変更・削除・追加が可能となっていることを特徴とする請求項６〜請求項１０のいづれかに記載した情報提供システム。
【請求項１２】
上記登録手段は、リマインド条件及び送信情報について、当該リマインド条件及び送信情報を登録した端末以外からの変更・削除・追加があった場合には、上記登録端末及び送信情報が送信される移動端末の少なくとも一方の端末に対し、その旨の送信を行うことを特徴とする請求項１１に記載した情報提供システム。
【請求項１３】
上記登録手段は、取得したリマインド条件及び送信情報が、当該送信情報が送信される移動端末若しくは当該移動端末に対応付けされた特定の端末からの情報で有る場合にのみ、登録・変更・削除・追加の処理を行うことを特徴とする請求項１１又は請求項１２に記載した情報提供システム。
【請求項１４】
上記送信情報の一部は、移動端末に組み込まれているアプリケーションの起動情報、及び特定のアプリケーション自体の少なくとも一方であることを特徴とする請求項６〜請求項１３のいずれかに記載した情報提供システム。
【請求項１５】
上記送信情報の少なくとも一部は、当該送信情報が送信される移動端末若しくはグループ化された一群の移動端末とは別の端末から取得した情報であることを特徴とする請求項６〜請求項１４のいずれかに記載した情報提供システム。
【請求項１６】
上記登録されているリマインド条件若しくは送信情報に対する参照を検出すると、その旨を当該送信情報が送信される移動端末に送信することを特徴とする請求項６〜請求項１５のいずれかに記載した情報提供システム。
【請求項１７】
上記請求項６〜請求項１６のいずれかに記載の情報提供システムに対し、リマインド条件及び送信情報を送信すると共に、上記情報提供システムからの送信情報を受信することを特徴とする移動端末。
【請求項１８】
リマインド条件の登録を検出すると、上記情報提供システムに対し定期的に自己の位置情報を送信することを特徴とする請求項１７に記載した移動端末。
【発明の詳細な説明】
【０００１】
【発明の属する技術分野】
本発明は、移動端末を所有する利用者に対し上記移動端末を通じて思い出す必要がある私的な情報を提供する情報提供方法、情報提供システム、及び当該システムが適用される移動端末に関する。
【０００２】
【従来の技術】
従来、情報の提供方法としては、例えば、予め時刻を設定しておき、当該時刻になったときに、アラーム等によって設定した時刻となったことを通知して注意を喚起する方法がある。
また、位置情報に基づき情報を提供する方法としては、現在の移動端末の位置にまつわる周辺地図や周辺の店舗等に関する一般的な情報を配信するシステムがある。
【０００３】
【発明が解決しようとする課題】
しかしながら、特定の場所への到達が必ずしも予定していた時刻になるとは限らないため、時刻を契機として注意を喚起する方法では、必ずしも必要なタイミングで思い出すべき情報を取得することができない。
また、周辺地図や周辺の店舗等に関する配信システムは、現在地や所定の位置に関連する情報を検索、若しくは取得するだけのものであり、予め設定したタイミングを契機として当該タイミングで必要な情報を自動的に取得するものではない。
【０００４】
また、設定した場所に到達するとアラーム等で到達を通知する方法も考えられるが、この方法は、単に到達したことを通知するだけであり、思い出したい私的なメッセージを利用者に確実に想起させるものではない。
本発明は、上記のような点に着目してなされたもので、利用者が特定の場所へ移動したことを契機にして、上記利用者自身が思い出したい情報および第３者が上記利用者に伝えたい、スケジュール、メモ、アドレス帳などの私的な情報を取得可能な情報提供方法、情報提供システム、及び当該情報提供システムに適用可能な移動端末を提供することを課題としている。
【０００５】
【課題を解決するための手段】
上記課題を解決するために、本発明のうち請求項１に記載した発明は、個々の移動端末若しくはグループ化された一群の移動端末を単位として、特定位置を含むリマインド条件及び当該リマインド条件に対応付けされた送信情報を予め登録しておき、対応する移動端末が当該特定位置に到達したことを検出すると、上記特定位置に対応付けされた送信情報を、上記移動端末若しくはグループ化された一群の移動端末に送信することを特徴とする情報提供方法を提供するものである。
【０００６】
本発明によれば、対象とする移動端末が登録した特定位置に到達することを契機として、到達したことを喚起することとは別に、特定の私的な思い出したい情報が特定の移動端末に送信される。
次に、請求項２に記載した発明は、請求項１に記載した構成に対し、上記送信情報の一部は、移動端末に組み込まれているアプリケーションの起動情報、及び特定のアプリケーション自体の少なくとも一方であることを特徴とするものである。
【０００７】
本発明によれば、特定位置に到達したことを契機として、特定のメッセージを送信すると共に、特定のアクション（バイブレーションモードに変更や、特定アプリケーションの起動など）を当該移動端末に発生させることが可能となる。
次に、請求項３に記載した発明は、請求項１又は請求項２に記載した構成に対し、上記送信情報の少なくとも一部は、当該送信情報が送信される移動端末若しくはグループ化された一群の移動端末とは別の端末から登録された情報であることを特徴とするものである。
【０００８】
本発明によれば、対象とする移動端末のユーザとは別の者が、特定位置に到達（特定位置を通過）したときに伝えたいメッセージ等の情報の登録が、可能となる。
次に、請求項４に記載した発明は、上記登録されているリマインド条件若しくは送信情報に対する参照があったことを検出すると、その旨を当該送信情報が送信される移動端末に送信することを特徴とするものである。
【０００９】
本発明によれば、自分の移動端末に対するリマインド情報が他者によって設定されたことを認知可能となる。
次に、請求項５に記載した発明は、請求項１〜請求項４のいずれかに記載した構成に対し、上記リマインド条件として、送信情報を送信可能な有効期間を含むことを特徴とするものである。
【００１０】
本発明によれば、設定した特定場所に到達することがあっても、送信情報が必要な期間で無ければ、設定した送信情報が送信されることが無い。
次に、請求項６に記載した発明は、各移動端末若しくはグループ化された一群の移動端末に対応付けられた、特定位置を含むリマインド条件及び当該リマインド条件に対応付けされた送信情報を取得して登録する登録手段と、上記リマインド条件に対応する移動端末が上記特定位置に到達したか否かを判定する送信判定手段と、対応する移動端末が上記特定位置に到達したと判定すると上記リマインド条件に対応付けされた送信情報を対応する移動端末に送信する情報送信手段とを備えることを特徴とする情報提供システムを提供するものである。
【００１１】
本発明によれば、対象とする移動端末が登録した特定位置に到達することを契機として、到達したことを喚起することとは別に、特定の私的な思い出したい情報が特定の移動端末に送信される。
次に、請求項７に記載した発明は、請求項６に記載した構成に対し、上記送信判定手段は、移動端末の位置情報を取得する位置情報管理手段を備え、当該位置情報管理手段の取得した位置情報と上記リマインド条件とを定期的に照合することで、対応する移動端末が上記特定位置に到達したか否かを判定することを特徴とするものである。
【００１２】
本発明によれば、確実にリマインド条件の照合が可能となる。
次に、請求項８に記載した発明は、請求項６に記載した構成に対し、上記送信判定手段は、移動端末の位置情報を取得して蓄積する位置情報管理手段を備え、蓄積情報に基づき移動端末の位置情報が更新されたと判定した場合に、移動端末の位置情報と上記リマインド条件とを照合することで、対応する移動端末が上記特定位置に到達したか否かを判定することを特徴とするものである。
【００１３】
上記位置情報の更新とは、たとえば、対応する基地局が変更された場合や、単位時間当たりの移動が所定距離以上の場合に更新されたと判定できる。
本発明によれば、リマインド条件の照合処理の合理化が図られる。
次に、請求項９に記載した発明は、請求項６〜請求項８のいずれかに記載した構成に対し、上記リマインド条件の一部として送信情報の有効期間を有し、上記送信判定手段は、現在の時間が有効期間内で無ければ特定位置に到達してないと判定することを特徴とするものである。
【００１４】
本発明によれば、設定した特定場所に到達することがあっても、送信情報が必要な期間で無ければ、設定した送信情報が送信されることが無い。
次に、請求項１０に記載した発明は、請求項９に記載した構成に対し、リマインド条件に有効期間を有する場合に、当該有効期間を経過したと判定すると、当該有効期間を経過したリマインド条件及び送信情報を、消去、若しくは送信の対象外とすると共に、上記消去若しくは対象外とした旨の情報を、送信情報を送信すべき移動端末、及び上記リマインド条件及び送信情報を登録した端末の少なくとも一方に送信する有効期間管理手段を備えることを特徴とするものである。
【００１５】
本発明によれば、不要なリマインド情報が送信対象から除外されるとと共に、特定の有効期間の間に特定位置への到達を契機として送信される情報があった旨が通知可能となる。
次に、請求項１１に記載した発明は、請求項６〜請求項１０のいづれかに記載した上記登録手段は、取得した情報に基づき、当該リマインド条件及び送信情報の変更・削除・追加が可能となっていることを特徴とするものである。
【００１６】
次に、請求項１２に記載した発明は、請求項１１に記載した構成に対し、上記登録手段は、リマインド条件及び送信情報について、当該リマインド条件及び送信情報を登録した端末以外からの変更・削除・追加があった場合には、上記登録端末及び送信情報が送信される移動端末の少なくとも一方の端末に対し、その旨の送信を行うことを特徴とするものである。
【００１７】
本発明によれば、リマインド条件及び送信情報の変更等が有った旨を通知可能となる。
次に、請求項１３に記載した発明は、請求項１１又は請求項１２に記載した構成に対し、上記登録手段は、取得したリマインド条件及び送信情報が、当該送信情報が送信される移動端末若しくは当該移動端末に対応付けされた特定の端末からの情報で有る場合にのみ、登録・変更・削除・追加の処理を行うことを特徴とするものである。
【００１８】
本発明によれば、リマインド条件及び送信情報の登録・変更・削除・追加が、たとえば、対象とする移動端末の所有者から認可された端末など、特定の端末に限定できる。
次に、請求項１４に記載した発明は、請求項６〜請求項１３のいずれかに記載した構成に対し、上記送信情報の一部は、移動端末に組み込まれているアプリケーションの起動情報、及び特定のアプリケーション自体の少なくとも一方であることを特徴とするものである。
【００１９】
本発明によれば、特定位置に到達したことを契機として、特定のメッセージを送信すると共に、特定のアクション（バイブレーションモードに変更など）を当該移動端末に発生させることが可能となる。
次に、請求項１５に記載した発明は、請求項６〜請求項１４のいずれかに記載した構成に対し、上記送信情報の少なくとも一部は、当該送信情報が送信される移動端末若しくはグループ化された一群の移動端末とは別の端末から取得した情報であることを特徴とするものである。
【００２０】
本発明によれば、対象とする移動端末のユーザとは別の者が、特定位置に到達（特定位置を通過）したときに、伝えたいメッセージ等の登録が可能となる。
次に、請求項１６に記載した発明は、請求項６〜請求項１５のいずれかに記載した構成に対し、上記登録されているリマインド条件若しくは送信情報に対する参照を検出すると、その旨を当該送信情報が送信される移動端末に送信することを特徴とするものである。
【００２１】
本発明によれば、自分の移動端末に対するリマインド情報が他者によって設定されたことを認知可能となる。
次に、請求項１７に記載した発明は、上記請求項６〜請求項１６のいずれかに記載の情報提供システムに対し、リマインド条件及び送信情報を送信すると共に、上記情報提供システムからの送信情報を受信することを特徴とする移動端末を提供するものである。
【００２２】
次に、請求項１８に記載した発明は、請求項１７に記載した構成に対し、リマインド条件の登録を検出すると、上記情報提供システムに対し定期的に自己の位置情報を送信することを特徴とするものである。
ここで、上記リマインド条件の登録の有無は、自己の移動端末からのリマインド条件の送信や、他の端末からの送信によってリマインド条件の登録があったことが通知されることで、検出することが可能である。
【００２３】
本発明によれば、ユーザが意識することなく効率的に位置情報の送信が可能である。
【００２４】
【発明の実施の形態】
次に、本発明についての実施形態を図面を参照しつつ説明する。
図１は、本発明に係る情報提供システムを含む情報送信システムの構成を示す概要図である。
本システムは、図１に示すように、少なくとも、ユーザが操作する移動端末１００と、基地局２００と、移動体通信網６００と、位置情報などを管理する位置情報管理装置４００と、ユーザにより登録された条件に該当する情報をユーザに送信するメッセージサーバ５００と、通信網６００と、情報を提供する情報提供装置７００とから構成される。なお、上記メッセージサーバ５００は複数台存在し、各移動端末１００はそれぞれ固定的に特定のメッセージサーバ５００に割り当てられている。
【００２５】
上記メッセージサーバ５００及び位置情報管理装置４００は、移動体通信網６００に接続されると共に当該移動体通信網６００を介して交換機２５０に接続されている。各交換機２５０は、それぞれ基地局２００を収容し、各基地局２００は、それぞれ対応する無線エリアに存在する移動端末１００と接続可能となっている。
【００２６】
上記移動端末１００は、例えば、携帯電話端末、ＰＤＡ端末等から構成され、現在の無線エリアを担当する無線基地局２００と無線電波による呼処理を行う呼処理部と、通話や画像などの情報を送信・取得するコンテンツ情報処理部とを備える。また、種々のアプリケーションを備える。なお、各移動端末１００は、それぞれ固有の電話番号が割り当てられ、また、特定番号を操作することで上記メッセージサーバ５００との間で情報を送信したり受信したりすることが可能となっている。
【００２７】
各交換機２５０は、呼処理を行う呼処理部と、呼処理に応じて回線の切り替え及び接続を行う切替部を備える。
交換機２５０の呼処理部では、移動端末１００からの情報設定要求を受信すると、接続管理サーバ３５０から、当該移動端末１００若しくは情報を設定したい移動端末１００が割り当てられているメッセージサーバ５００への接続情報を取得し、続いて切替部を制御して対応するメッセージサーバ５００に接続して、情報の設定登録・変更・削除を可能とする。なお、交換機２５０は、通話などの通常の呼処理についても公知の手段で実施する。
【００２８】
上記位置情報管理装置４００は、位置情報管理手段を構成し、定期的に移動端末１００の位置を取得して蓄積すると共に、メッセージサーバ５００からの要求に応じて対応する移動端末１００の位置情報を当該メッセージサーバ５００に送信する。なお、位置情報は、ＧＰＳなどによる移動端末１００の存在する緯度・経度に関する情報であっても良いし、または現在収容している基地局２００の位置情報でも良い。
【００２９】
なお、上記接続管理サーバ３５０は、電話番号などに基づき、どの移動端末１００がどのメッセージサーバ５００に割り当てられているか、などの接続情報を管理する。
また、上記メッセージサーバ５００は、端末情報記憶部５００Ａ、条件データベース５００Ｂ、端末確認部５００Ｃ、情報登録部５００Ｄ、情報検索部５００Ｅ、及び情報送信部５００Ｆを備える。
【００３０】
上記端末情報記憶部５００Ａは、割り当てられている移動端末１００の情報、及び当該移動端末１００に対応するリマインド条件や送信情報の登録処理等が許可されている端末か否かの情報が格納されている。また、割り当てられている移動端末１００に対応する条件データベース５００Ｂ内のリマインド条件や送信情報にリンク付けされている。この端末情報記憶部５００Ａ自体も、条件データベース５００Ｂ内に格納されていても良い。
【００３１】
条件データベース５００Ｂは、リマインド情報及び送信情報を格納する記憶部である。リマインド情報データの例を図３及び図４に示す。
この図３及び図４に示すリマインド情報データの例では、ユーザＩＤは、情報が送信される移動端末１００に対応する識別番号である。また、緯度条件及び経度条件が、リマインド条件を構成する、登録された位置情報である。また、リマインド情報及びアクションが、登録された送信情報である。グループ化された一群の移動端末１００に対するリマインド情報データでは、図４のように、ユーザＩＤの代わりにグループＩＤが使用され、且つ、移動端末１００毎にどのグループに所属しているかどうかの対応表データを有する。なお、後述のように有効期間の情報もリマインド条件として有する場合には、有効期間の有無や有効期間自体を格納するエリアも有する。また、情報の登録端末情報や取得した現在の位置情報を格納するエリア等を有していても良い。
【００３２】
ここで、上記リマインド情報は、私的なメッセージ情報の本体であり、移動端末１００に表示する文章データである。
また、上記アクションは、移動端末１００内のアプリケーションを起動するための情報であり、特定の画像表示要求、リンクした案内図データの表示要求、メッセージ自動送信要求などのアクションを要求する情報である。
【００３３】
なお、上記リマインド情報データに追加、つまり同一位置情報に対する追加の送信情報がある場合には、各リマインド情報データから、リマインド情報とアクションデータからなる追加送信データにリンク付けされている。追加の登録情報は、例えば、許可された他の端末からの追加の登録情報である。
また、各リマインド情報データには、登録者の端末情報を含ませ、登録者及び送信情報が送信される移動端末１００からしか、削除できないように設定しておいても良い。または、送信端末毎に削除用の暗証番号を設定可能としても良い。
【００３４】
また、上記端末確認部５００Ｃは、受信した情報が登録許可された端末からのものかチェックを行い、登録許可と判定された場合には、情報登録部５００Ｄに起動指令を出力し、登録が許可されていない端末からの情報であれば、アクセル拒否メッセージを出力して処理を終了する。なお、登録許可のチェックを接続管理サーバ３５０で行っても良い。
【００３５】
また、情報登録部５００Ｄは、登録手段を構成し、受信した登録情報に応じて、条件データベース５００Ｂへの格納、内容の変更、削除処理を行う。なお、送信情報が送信される移動端末１００以外からの登録要求に基づき登録処理をした場合には、送信情報が送信される移動端末１００に対し、その旨のメッセージを送信する。
【００３６】
ここで、リマインド条件を構成する位置情報については、例えば直接、位置の緯度・経度を取得するか、場所の名前を移動端末から取得して位置の緯度・経度に変換して格納すればよい。
また、上記情報登録部５００Ｄは、送信情報が送信される移動端末１００若しくはリマインド情報等を登録した登録端末以外の許可された端末から取得した情報によって情報の変更・削除・追加処理をした場合には、送信情報が送信される移動端末１００若しくは上記登録端末に対しその旨の情報を送信するように設定しても良い。
【００３７】
また、情報検索部５００Ｅは、送信判定手段の一部を構成し、定期的に位置情報管理装置４００に登録情報のある移動端末１００の現在の位置について問い合わせを行って、各移動端末１００の位置情報を取得し、取得した位置情報を、各移動端末１００毎に、リマインド条件（位置の情報）との照合を行う。照合の結果、位置情報とリマインド条件とが一致したデータについては、情報送信部５００Ｆに出力要求を出す。
【００３８】
なお、位置情報とリマインド条件との照合は、完全一致でも良いが、両方のデータに例えば±２０ｍ程度の幅を持たせて照合を行うようにしても良い。
また、情報検索部５００Ｅが、情報送信部５００Ｆを介して送信情報を送信したリマインド条件及び送信情報を消去するように設定しても良い。この場合、登録時に消去若しくは対象外とするか否かを選択可能としておいても良い。
【００３９】
また、情報送信部５００Ｆは、情報送信手段を構成し、位置情報とリマインド条件が一致したリマインド情報データについて、送信情報（リマインド情報及びアクション）を対応する移動端末１００に向けて送信する。
また、上記メッセージサーバ５００には、図１に示すように、通信網６００を介して情報提供装置１１０，７００が接続可能となっている。なお、通信網６００は、例えば、インターネットや、イントラネットや、ＬＡＮや、公衆電話網（アナログ／デジタルの双方を含む）や、携帯回線交換網／携帯パケット交換網や、無線呼出網や、ＰＨＳ網や、衛星通信網６００等のうちいずれかを含んでもよい。
【００４０】
次に、上記構成のシステムによる情報提供の処理例について説明する。
「処理例１」
図５は、処理例１のシーケンスを示す。
まず、ユーザは、あらかじめ情報提供装置１１０によって公衆電話網、インターネット等の通信網６００を介してメッセージサーバ５００に接続して、所望のリマインド条件及び送信情報からなるリマインド条件及びリマインド情報及びアクションからなる送信情報（以下リマインド条件等という）の登録を行う（ステップＳ８０２）。
【００４１】
または、ユーザの許可を得た情報提供者が、あらかじめ情報提供装置７００によって公衆電話網、インターネット等の通信網６００を介してメッセージサーバ５００に接続して、所望のリマインド条件等の登録を行う（ステップＳ８０２）。あるいは送信情報が送られる移動端末１００から移動体通信網６００等を介してメッセージサーバ５００に接続して、リマインド条件等の登録を行ってもよい。
【００４２】
ついで、メッセージサーバ５００は、ユーザから登録されたリマインド条件等を蓄積する（ステップＳ８０４）。
ついで、移動端末１００は、位置情報管理装置４００に対し定期的に位置情報を送出する（ステップＳ８０６）。
ついで、位置情報管理装置４００は、移動端末１００からの位置情報に基づき位置情報を蓄積する（ステップＳ８０８）。
【００４３】
ついで、メッセージサーバ５００は、位置情報管理装置４００に対して問合わせ要求を定期的に繰り返して（ステップＳ８１０）、位置情報要求を送信し（ステップＳ８１２）、該位置情報要求に対する通知（例えば、緯度・経度の情報等）を受信することで（ステップＳ８１４）、リマインド条件に対応する移動端末１００の位置の取得を行い、あらかじめユーザが登録したリマインド条件（位置の情報）に一致するリマインド条件等が存在するかどうかの照合・判定することを定期的に繰り返す（ステッブＳ８１６）。
【００４４】
そして、対応する移動端末１００の位置がリマインド条件に一致した場合には（ステップＳ８１８）、メッセージサーバ５００は、一致するリマインド条件等の送信情報（リマインド情報・アクション）を移動端末１００に送信する（ステップＳ８２０）。移動端末１００は、送信情報を受信すると、リマインド情報を表示すると共に、アクションに応じたアプリケーションを起動して所定の処理を実施する。これによって、ユーザは、予め登録してある目的地に到達すると、そのときに思い出す必要がある情報を自動的に取得して確認したり、移動端末１００を通じて行うべき処理（例えばメッセージ送信など）が自動的に行われる。
「処理例２」
処理例２のシーケンスを図６に示す。
【００４５】
処理例２の基本とするシーケンスは、上記処理例１と同様であるが、メッセージサーバ５００での移動端末１００の位置情報の取得処理（ステップＳ９１０，Ｓ９１２）が異なる。
すなわち、位置情報管理装置４００は、蓄積している各移動端末１００の位置情報に基づき、対象とする移動端末１００の位置が変化したと判定すると、現在の移動端末１００の位置情報をメッセージサーバ５００に通知する（ステップＳ９１０）。
【００４６】
メッセージサーバ５００では、位置情報管理装置４００からの、所定移動端末１００の位置情報の受信を契機として、リマインド条件の照合・判定処理を開始し（ステップＳ９１２）、条件が合致した場合には（ステップＳ９１４）、対応する送信情報を対応する移動端末１００に送信する（ステップＳ９１６）。
その他のシーケンスは、処理例１と同じである。
「処理例３」
処理例３のシーケンスを図７に示す。
【００４７】
処理例３の基本とするシーケンスは、上記処理例１と同様であるが、他の移動端末１００にもアクションを送信（ステップＳ１０２２）する点が異なる。
本処理例は、ステップＳ１００２における登録の際に、例えば、リマインド条件等をグループ化して登録した場合や、他の移動端末１００がリマインド条件等を登録して、送信情報を送信したときにその旨のアクションを当該他の移動端末１００に送信するように設定した場合の例である。
【００４８】
そして、ステップＳ１０１８にて、リマインド条件が合致したと判定すると、対応する移動端末１００に対して送信情報を送信すると共に（ステップＳ１０２０）、送信情報として登録してあった他の移動端末１００へのアクションを当該他の移動端末１００に送信する（ステップＳ１０１８）。
「処理例４」
処理例４のシーケンスを図８に示す。
【００４９】
この処理例４は、上記処理例２に対して、上記処理例３におけるステップＳ１０２２に対応するステップＳ１１１８を追加したものである。
すなわち、ステップＳ１１１４にて、リマインド条件が合致したと判定すると、対応する移動端末１００に対して送信情報を送信すると共に（ステップＳ１１１６）、送信情報として登録してあった他の移動端末１００へのアクションを当該他の移動端末１００に送信する（ステップＳ１１１８）。
【００５０】
ここで、上記実施形態では、リマインド条件として位置情報のみの場合を例示したが、リマインド条件として、位置情報の他に有効期間に関する条件も登録しても良い。この場合には、登録した場所に移動端末１００が到達しても有効期間内でなければ、送信情報が送られる事が防止されて、必要な時期に到達した場合にのみ必要な送信情報が送信可能となる。
【００５１】
リマインド条件の一部として有効期間の条件を備える場合には、有効期間が設定されているデータについて、定期的に有効期間を経過したか否かを判定し、有効期間を経過した情報について自動的に削除若しくは送信対象外とする有効期間管理部を設けても良い。なお、上記自動削除か送信対象外とするかの設定を登録時に可能としても良い。この有効期間管理部は、上記自動的に削除若しくは送信対象外とした場合には、その旨の情報を、送信情報が送信されるべき移動端末若しくは上記リマインド条件を登録した端末に送信して、その旨を喚起可能とすることが好ましい。この通知によって、行くべき場所に必要な期間に行かなかったことが分かる。また、送信対象外とした場合には、メッセージサーバにアクセスすることで、受け取るべき送信情報を確認することもできる。
【００５２】
また、上記リマインド情報データ中に、到着状況を示すデータ格納エリアを設けておくと共に、許可された端末から対応するリマインド情報データを参照可能として、許可された端末から対象とする移動端末１００が目的地に（いつ）到達したか否かを参照可能としても良い。到着状況を示すデータとしては、例えば、到達日時や到達の有無、到達前の現在の位置情報などが考えられる。なお、位置情報の参照は、地図情報を取得して地図情報と共に送信すればよい。
【００５３】
また、グループ化して登録した場合には、一つのリマインド条件に対して複数の送信情報（リマインド条件及びアクション）をリンクなどで関連付けしておき、グループ内の各移動端末１００への送信情報を個別設定するようにしても良い。
【００５４】
【実施例】
次に、具体的な使用例を示す。
「実施例１」
ユーザは、あらかじめ会議開催場所の位置を条件として、会議名と会議室名をメッセージサーバ５００に登録する。
【００５５】
この場合には、メッセージサーバ５００は、登録した会議開催場所にユーザが到着した場合に、音声等により会議名・会議室名を情報として通知し、開始時刻，終了時刻・出席メンバー・出席メンバーの顔写真・議題関連資料へのリンクをディスプレイ表示する。
参加許可のある会議出席者や主催者は、メッセージサーバ５００にアクセスすることで、ユーザの参加状況を参照することが可能である。
【００５６】
「実施例２」
ユーザは、あらかじめ営業得意先の位置を条件として得意先情報をメッセージサーバ５００に登録する。
この場合には、メッセージサーバ５００は、登録した位置にユーザが到着した場合に、ディスプレイ表示等により営業得意先の会社名・部署名・担当者名・担当者の顔写真・住所・電話番号・ビル内位置・取引履歴・進行中の取引内容などの情報を通知する。
【００５７】
「実施例３」
ユーザは、あらかじめ交通機関の乗り換え駅を条件として乗り換え先情報をメッセージサーバ５００に登録する。
この場合には、メッセージサーバ５００は、登録した駅にユーザが到着した場合に、音楽等により乗り換えの必要性を伝えると共に、ディスプレイ表示等により駅名・その駅に着いてすべき行動の情報を通知する。
【００５８】
「実施例４」
ユーザは、あらかじめ買い物に行く店の位置を条件としてショッピングメモをメッセージサーバ５００に登録する。
この場合には、メッセージサーバ５００は、登録した店にユーザが到着した場合に、ディスプレイ表示等により場所・店名・その店で購入を予定している物品リスト・商品の詳細情報へのリンク・予定価格を通知する。
【００５９】
また、ユーザと仲の良いメンバーをグループとして登録し、ユーザのリマインド条件参照を許可設定しておくことで、ユーザの予定を見たメンバーが、ショッピングに同行したいと思えば、その旨をユーザに通知したり、メンバー自身のリマインド条件にこの予定を登録することもできる。
「実施例５」
ユーザは、あらかじめ待ち合わせ場所を条件としてメモをメッセージサーバ５００に登録する。
【００６０】
この場合には、メッセージサーバ５００は、登録した場所にユーザが到着した場合に、ディスプレイ表示等により場所・イベント内容・時刻・メンバー名・メンバーの顔写真を通知する。
このとき、待ち合わせ相手の端末を参照許可に設定しておくことで、待ち合わせ相手は、メッセージサーバ５００にアクセスすることで、ユーザの到着状況を参照することが可能である。
【００６１】
「実施例６」
ユーザは、食事をしたレストランの位置を条件としてグルメメモをメッセージサーバ５００に登録しておく。
この場合には、メッセージサーバ５００は、登録した位置にユーザが到着した場合に、ディスプレイ表示等により場所・店名・その店で食べたメニュー・メニューの写真・評価・価格を通知する。
【００６２】
また、ユーザと仲の良いメンバーをグループとして登録し、ユーザのリマインド条件参照を許可した場合には、ユーザの評価を見たメンバーが、その店に行きたいと思えば、メンバー自身のリマインド条件にこの情報を登録することもできる。
「実施例７」
ユーザの許可を得た情報提供者は、あらかじめユーザが通る位置を条件として電話メモをメッセージサーバ５００に登録する。
【００６３】
この場合には、メッセージサーバ５００は、登録した位置にユーザが到着した場合に、ディスプレイ表示等により、伝言の内容・発信元・発信元の電話番号・発信者の顔写真・記入者・記入者の電話番号・記入者の顔写真を通知する。
上記通知と共に、メッセージサーバ５００が、発信元と記入者に対して、ユーザが情報を見た旨の情報を送信するように設定しても良い。
【００６４】
【発明の効果】
以上説明してきたように、本発明を採用すると、移動端末を所有するユーザが特定の場所へ移動したことを契機にして、その特定場所に到達したことだけではなく、上記利用者自身が思い出したい情報および第３者が上記利用者に伝えたい情報を送信することが可能となる。
【図面の簡単な説明】
【図１】本発明に基づく実施形態に係るシステム構成を示す図である。
【図２】本発明に基づく実施形態に係るメッセージサーバの構成を示す図である。
【図３】本発明に基づく実施形態に係るリマインド情報データの例を示す図である。
【図４】本発明に基づく実施形態に係るリマインド情報データの別例を示す図である。
【図５】処理例１のシーケンスを示す図である。
【図６】処理例２のシーケンスを示す図である。
【図７】処理例３のシーケンスを示す図である。
【図８】処理例４のシーケンスを示す図である。
【符号の説明】
１００　移動端末
１１０　情報提供装置
２００　基地局
２５０　交換機
３００　移動体通信網
３５０　接続管理サーバ
４００　位置情報管理装置
５００　メッセージサーバ
５００Ａ　端末情報記憶部
５００Ｂ　条件データベース
５００Ｃ　端末確認部
５００Ｄ　情報登録部
５００Ｅ　情報検索部
５００Ｆ　情報送信部
６００　通信網
７００　情報提供装置
【図１】
2004015300.tif 000003
【図２】
2004015300.tif 000004
【図３】
2004015300.tif 000005
【図４】
2004015300.tif 000006
【図５】
2004015300.tif 000007
【図６】
2004015300.tif 000008
【図７】
2004015300.tif 000009
【図８】
2004015300.tif 000010